(57)【特許請求の範囲】
【請求項１】
基材上には、電気導電性を持った接触部と、電気導電性を持った反応部と、これら接触部と反応部とを結ぶ導電部とからなる情報パターンである導電性パターンと、前記反応部とほぼ同じ面積で、かつ前記接触部と非導通の関係にある非反応部とが設けられ、
前記接触部と前記反応部の幅もしくは面積は、前記導電部の２倍以上であることを特徴とする情報媒体。
【請求項２】
前記接触部と前記反応部の大きさはφ２ｍｍ以上からなる面積で構成されている場合、前記導電部は２ｍｍ以下の幅とすることを特徴とする請求項１に記載の情報媒体。
【請求項３】
前記反応部と前記非反応部は、縦横に等間隔で並べられていることを特徴とする請求項１又は請求項２に記載の情報媒体。
【請求項４】
前記基材上に設けられた前記導電部と前記非反応部との間に少なくとも該導電部とほぼ同じ色の絶縁部を設けたことを特徴とする請求項１ないし請求項３の何れか一項に記載の情報媒体。
【請求項５】
前記基材と前記反応部との間に盛り上げ部を設けて成ることを特徴とする請求項１乃至請求項４の何れか一項に記載の情報媒体。
【請求項６】
前記基材と前記非反応部との間に盛り上げ部を設けて成ることを特徴とする請求項１乃至請求項５の何れか一項に記載の情報媒体。
【請求項７】
前記反応部及び前記非反応部は、凸になるようにエンボスされていることを特徴とする請求項１乃至請求項６の何れか一項に記載の情報媒体。
【請求項８】
請求項１ないし請求項７の何れか一項に記載の構成を有する情報媒体の情報パターンを読み取る情報媒体の読取方法において、
前記情報媒体の接触部に電荷を保持する電荷保持体を接触させるステップと、
前記電荷保持体が接触された状態で、投影型静電容量方式の読取装置のタッチパネル上
に前記情報媒体の反応部を接触させるステップと、
前記反応部に帯電する電荷が前記タッチパネルに反応し、前記情報媒体の情報パターンを読み取り認識することで前記タッチパネル上に読取画像を出現させるステップと
を有することを特徴とする情報媒体の読取方法。
【請求項９】
請求項８に記載の情報媒体の読取方法において、
前記タッチパネル上には、前記読取画像だけでなく、当該読取画像を出現させるための情報パターンも出現させるステップを有することを特徴とする情報媒体の読取方法。
【発明の詳細な説明】
【技術分野】
【０００１】
本発明は、投影型静電容量方式のタッチパネルを用いて読み取り可能な情報媒体及び情報媒体の読取方法に関する。
【背景技術】
【０００２】
情報媒体の読み取る方法としては、幾つかの読取方法が提案されている。  
例えば、情報媒体にバーコードが設けられ、その情報媒体のバーコードをバーコードスキャナーで読み取ってデコードし、キャラクター等を出現させる方法である（特許文献１）。
【０００３】
他の読取方法の例としては、情報媒体上に見えない赤外線吸収インキにてコードが設けられ、読取装置上に前記情報媒体を乗せた後、赤外線を用いてコードを読み取り、そのコードとひも付けされるキャラクター等を出現させる方法である（特許文献２）。
【０００４】
また、別の読取方法の例としては、情報媒体上に見えない蛍光インキにてコードが設けられ、前記情報媒体上に紫外線等の励起波長を照射することでコードを読み取り、そのコードとひも付けされるキャラクター等を出現させる方法である（特許文献３）。
【０００５】
その他、磁気カード，ＩＣカード等の情報媒体が存在するが、これら情報媒体の読み取りは、磁気読取方式、ＩＣ読取方式を用いて、情報媒体に記録されるコードを読み取る方法である。
【０００６】
さらに、近年、静電容量方式の読取装置が提案されている（特許文献４）。静電容量方式を用いた読取方法は、操作する指先と導電膜との間での静電容量の変化を捉えて位置を検出するが、特に投影型静電容量方式においては、指先の多点検出が可能なため、複雑なパターンを読み取ることが可能である。
【先行技術文献】
【特許文献】
【０００７】
【特許文献１】特許第３１５１９７８号公報
【特許文献２】特許第３７３６４４０号公報
【特許文献３】特許第３４４７２７２号公報
【特許文献４】特表２００６−５２０９７０号公報
【発明の概要】
【発明が解決しようとする課題】
【０００８】
本発明は、投影型静電容量方式の読取装置の能力を利用して、その読取装置のタッチパネルに接触し易く、かつ容易に情報パターンを認識可能とする情報媒体を提供することを目的とする。
【０００９】
また、本発明は、投影型静電容量方式のタッチパネルを用いて、情報媒体の情報パターンを認識し、前記タッチパネル上に情報パターンにひも付けされた画像情報を容易に導出できる情報媒体の読取方法を提供することを目的とする。
【課題を解決するための手段】
【００１０】
上記課題を解決するために、請求項１に対応する発明は、基材上に、電気導電性を持った接触部と、電気導電性を持った反応部と、これら接触部と反応部とを結ぶ導電部とからなる情報パターンである導電性パターンと、前記反応部とほぼ同じ面積で、かつ前記接触部と非導通の関係にある非反応部とが設けられ、前記接触部と前記反応部の幅もしくは面積は、前記導電部の２倍以上であることを特徴とする情報媒体である。
【００１１】
また、請求項２に対応する発明は、前記接触部と前記反応部の大きさはφ２ｍｍ以上からなる面積で構成されている場合、前記導電部は２ｍｍ以下の幅とすることを特徴とする請求項１に対応する発明に記載の情報媒体である。
【００１３】
また、請求項３に対応する発明は、前記反応部と前記非反応部としては、縦横に等間隔で並べられていることを特徴とする請求項１又は請求項２に対応する発明に記載の情報媒体である。
【００１４】
また、請求項４に対応する発明は、前記基材上に設けられた前記導電部と前記非反応部との間に少なくとも該導電部とほぼ同じ色の絶縁部を設けたことを特徴とする請求項１ないし請求項３の何れか一項に対応する発明に記載の情報媒体である。
【００１５】
さらに、請求項５に対応する発明は、前記基材と前記反応部との間に盛り上げ部を設けて成ることを特徴とする請求項１乃至請求項４の何れか一項に対応する発明に記載の情報媒体である。
【００１６】
さらに、請求項６に対応する発明は、前記基材と前記非反応部との間に盛り上げ部を設けて成ることを特徴とする請求項１乃至請求項５の何れか一項に対応する発明に記載の情報媒体である。
【００１７】
さらに、請求項７に対応する発明は、前記反応部及び前記非反応部としては、凸になるようにエンボスされていることを特徴とする請求項１乃至請求項６の何れか一項に対応する発明に記載の情報媒体である。
【００１８】
請求項８に対応する発明は、前記請求項１ないし請求項７の何れか一項に対応する発明に記載の構成を有する情報媒体の情報パターンを読み取る情報媒体の読取方法において、前記情報媒体の接触部に電荷を保持する電荷保持体を接触させる工程と、前記電荷保持体が接触された状態で、投影型静電容量方式の読取装置のタッチパネル上に前記情報媒体の反応部を接触させる工程と、前記反応部に帯電する電荷が前記タッチパネルに反応し、前記情報媒体の情報パターンを読み取り認識することで前記タッチパネル上に読取画像を出現させる工程とを有することを特徴とする情報媒体の読取方法である。
【００１９】
また、請求項９に対応する発明は、請求項８に対応する発明に記載の情報媒体の読取方法において、前記タッチパネル上には、前記読取画像だけでなく、当該読取画像を出現させるための情報パターンも出現させる工程を有することを特徴とする情報媒体の読取方法である。
【発明の効果】
【００２０】
本発明によれば、投影型静電容量方式の読取装置のタッチパネルに接触し易く、かつ情報パターンを容易に認識可能な情報媒体を提供できる。
【００２１】
また、本発明によれば、情報媒体の接触部に指を接触させたまま、投影型静電容量方式の読取装置のタッチパネルに情報媒体の反応部を接触させることで、情報媒体の反応部の位置情報を読み取ることで、パターンを認識し、そのパターンにひも付けされた画像情報を引き出すことができる情報媒体の読取方法を提供できる。
【図面の簡単な説明】
【００２２】
【図１】情報媒体の参考例を概略的に示す平面図。
【図２】本発明に係る情報媒体の実施の形態１を概略的に示す平面図。
【図３】本発明に係る情報媒体の実施の形態２を概略的に示す平面図。
【図４】本発明に係る情報媒体の実施の形態３を概略的に示す平面図。
【図５】図４に示す情報媒体の一部を拡大して示す部分平面図。
【図６】図２に示す情報媒体１のＸ−Ｘ線に沿う断面図。
【図７】図２に示す情報媒体１のＸ−Ｘ線に沿う断面図。
【図８】図２に示す情報媒体の読取方法を説明する概略図。
【図９】図４に示す情報媒体の読取方法を説明する概略図。
【図１０】情報媒体を投影型静電容量方式の読取装置のタッチパネルに接触させた図。
【図１１】情報媒体の情報パターンを認識し、情報パターンにひも付けされた画像をタッチパネルに出現させた図。
【発明を実施するための形態】
【００２３】
以下、本発明の実施の形態について図面を参照して説明する。なお、同様又は類似した機能を発揮する構成要素には全ての図面を通じて同一の参照符号を付し、重複する説明は省略する。
【００２４】
（情報媒体に係る参考例）
図１は情報媒体の参考例を概略的に示す平面図である。
情報媒体１は、基材１１上に、電気導電性を持った接触部１２と、同じく電気導電性を持った反応部１３とが形成される。これら接触部１２と反応部１３は導通可能にするために導電部１４により接続されている。
【００２５】
接触部１２及び反応部１３と導電部１４との関係は、導電部１４の単位長さで比較した場合、約２倍以上の大きさとなるような関係に形成する。すなわち、接触部１２，反応部１３の幅若しくは面積は、導電部１４のそれと比較して２倍以上になるように形成する。
【００２６】
その理由は、投影型静電容量方式の読取装置の特性として、ある面積以上の静電容量変化が無いと認識しないことから、その静電容量変化の特性を利用し、反応部１３の部分の位置のみを認識させ、導電部１４の部分を認識させないようにする為である。
【００２７】
接触部１２、反応部１３及び導電部１４は、電気導電性を持った物質であれば特に物質を指定するものでない。これら接触部１２、反応部１３及び導電部１４は、基材１１上に金属メッキを施した後、この金属メッキをエッチングすることでパターンを作製する方法、基材１１上に導電性インキを印刷することでパターンを作製する方法等がある。
【００２８】
導電性インキとしては、面積抵抗値として１００Ω／□以下であれば良く、スクリーン印刷法等を用いてパターンを作製できる。
【００２９】
従って、接触部１２，反応部１３の幅若しくは面積は、導電部１４と比較して２倍以上となるように作製するのが望ましい。そのため、反応部１３が電気導電性を持ったφ２ｍｍ以上の大きさを有するものであれば、導電部１４はその半分以下の幅に作製する。但し、導電部１４の幅が２ｍｍ以上であれば、導電部１４自身でも静電容量変化が起こり、その導電部１４の位置を認識してしまうので、導電部１４の幅は２ｍｍ以下でなければならない。
【００３０】
（情報媒体に係る実施の形態１）
図２は本発明に係る情報媒体の実施の形態１を概略的に示す平面図である。
この情報媒体１は、基材１１上に、電気導電性を持った接触部１２、反応部１３及び導電部１４の他、新たに非反応部１５が設けられている。
【００３１】
この非反応部１５は、接触部１２や導電部１４と導通可能な状態となっていない。その結果、投影型静電容量方式の読取装置は、非反応部１５が静電容量変化を起さないことから、認識できない。
【００３２】
これら非反応部１５，…は、反応部１３とほぼ同じ形状を有しており、反応部１３のいわゆるダミーの役割を持っている。
【００３３】
（情報媒体に係る実施の形態２）
図３は本発明に係る情報媒体の実施の形態２を概略的に示す平面図である。
情報媒体１は、反応部１３と非反応部１５が導通状態にないが、縦横に互いに規則正しく整列されている。反応部１３と非反応部１５が規則正しく整列されている点は、図２の配置の場合も同様であると言える。
【００３４】
このとき、隣り合う反応部１３どうしの間隔，例えば反応部１３ａと１３ｂとの間隔が近すぎると、静電容量変化による座標の認識が出来なくなるため、隣り合う反応部１３はある程度離して設ける必要がある。
【００３５】
投影型静電容量方式の読取装置の性能にもよるが、隣り合う反応部１３（１３ａと１３ｂ）の距離は５ｍｍ以上、好ましくは１０ｍｍ以上離した方が反応部１３の反応位置が認識し易い。
【００３６】
（情報媒体に係る実施の形態３）
図４は本発明に係る情報媒体の実施の形態３を概略的に示す平面図である。
この情報媒体１は、パターン的には図３に類似しているが、目視的に観察したときには反応部１３と非反応部１５が共に導電部１４で繋がれているように見え、両者の区別がつかない。
【００３７】
しかし、実際に情報媒体１の一部を図５のように拡大すれば分かるように、非反応部１５は、導電部１４とは導通していない。つまり、導電部１４と非反応部１５との間には絶縁部１６が設けられている。この絶縁部１６は、導電部１４と同じ色を付されていれば目視的に判別がつかなくなる。
【００３８】
次に、図６及び図７は図２に示す情報媒体１のＸ−Ｘ線に沿う断面図である。
図６は情報媒体１の他の実施の形態例を示す断面図である。
【００３９】
この情報媒体１は、断面的には、導電部分となる反応部１３及び非反応部１５の各下層部分にそれぞれ盛り上げ部１７が設けられている。その結果、反応部１３及び非反応部１５は、他の部分よりも盛り上がった状態となっている。
【００４０】
従って、反応部１３及び非反応部１５を盛り上げた構成とすることにより、反応部１３が投影型静電容量方式の読取装置のタッチパネル面に接触し易くなり、導電パターン（情報パターン）の読み取りが安定化する。
【００４１】
図７は情報媒体１の更に他の実施の形態例を示す断面図である。
【００４２】
この情報媒体１は、基材１１面にエンボス部１８を施すことにより、図６と同様に反応部１３及び非反応部１５が他の部分より盛り上がった状態に構成する。
【００４３】
従って、図７に示す情報媒体１においても、図６と同様に反応部１３が投影型静電容量方式の読取装置のタッチパネルに接触し易くなり、導電パターン（情報パターン）の読み取りが安定化する。
【００４４】
図８ないし図１１は本発明に係る情報媒体の読取方法の実施の形態を説明する図である。  
図８は図２に示す情報媒体１の接触部１２に手２の指２１を接触させた状態を示しており、図９は図４に示す情報媒体１の接触部１２に手２の指２１を接触させた状態を示している。それぞれ情報媒体１の接触部１２に指２１を接触させたとき、手２の一部となる指２１が持っている電荷が反応部１３に移動される。
【００４５】
そこで、情報媒体１の接触部１２に指２１を接触させた状態で、図１０に示すように読取装置３のタッチパネル３１に反応部１３を接触させたとすると、当該反応部１３に留まっている電荷がタッチパネル３１に反応し、読取装置３０がタッチパネル３１を介して反応部１３の位置を認識する。
【００４６】
情報媒体１には複数の反応部１３，…が存在するが、そのタッチされた反応部１３の位置関係を、読取装置３０が読取パターン３３として認識すれば、当該読取パターン３３にひも付けされた読取画像３２を出現させることができる。
【００４７】
次に、図１１は読取装置３０が情報媒体１の反応部１３のパターンを読み取った後の概略図であって、タッチパネル３１上に読取画像３２が出現し、この読取画像３２を出現させるための読取パターン３３も出現している。この読取パターン３３は、情報媒体１の反応部１３のパターンと鏡面関係にある。また、読取パターン３３は、画面に表示させなくてもよい。
【００４８】
以下、幾つかの具体的な実施例について説明する。  
（実施例１）  
四六判２２０ｋｇ両面マットコート紙の基材１１上に、反応部１３および非反応部１５のパターンが盛り上がるように、下記の盛り上げインキをスクリーン印刷法にて厚み２０μｍにて印刷およびＵＶ乾燥し、さらに非反応部１５と反応部１３が目視で区別がつかなくするための絶縁部１６を下記の絶縁用インキにてスクリーン印刷法で乾燥厚み１０μｍ程度印刷した。さらに下記の導電インキをスクリーン印刷法にて乾燥が厚み１２μｍになるように印刷して、接触部１２、反応部１３、導電部１４の導電部分を設けた。最後に所定の大きさに断裁し、情報媒体１を作製した。
【００４９】
［盛り上げインキ］  
盛り上げインキ                                  ……１００重量部（レイキュアーＯＰ  ＦＧ−２０ＳＣ厚盛クリア：十条ケミカル株式会社製）  
［絶縁用インキ］  
プロセス墨インキ                            ……１００重量部（ＳＳ  ＮＳＡ９１１墨：東洋インキ株式会社製）
［導電インキ］  
導電インキ                                  ……１００重量部（ＪＥＬＣＯＮ  ＣＨ−８：十条ケミカル株式会社製）
（実施例２）  
四六判２２０ｋｇ両面マットコート紙の基材１１上に、非反応部１５と反応部１３が目視で区別がつかなくするための絶縁部１６を下記の絶縁用インキにてスクリーン印刷法で乾燥厚み１０μｍ程度印刷した。さらに、下記の導電インキをスクリーン印刷法にて乾燥が厚み１２μｍになるように印刷して、接触部１２、反応部１３、導電部１４の導電部分を設けた。さらに、反応部１３と非反応部１５の導電インキ部分が盛り上がるように基材裏面よりφ２５ｍｍの鉄球にて圧力をかけ、導電部分が凸にエンボスされた。最後に所定の大きさに断裁し、情報媒体１を作製した。
【００５０】
その結果、実施例１および実施例２のいずれの情報媒体１の接触部１２に指２１を付け、その状態で投影型電気容量方式の読取装置３のタッチパネル３１に導電インキ部分を押し当てたところ、反応部１３の凸の部分だけ静電容量が変化し、反応した。読取装置３はその反応した部分の位置関係を計算し、そのパターンにひも付けされた読取画像３２が出現させた。
【００５１】
従って、以上のような実施の形態によれば、投影型静電容量方式の読取装置の能力を利用して、情報媒体１に形成される導電パターンを認識し易く、安定に読取装置３に読み込ませることができる情報媒体１を提供できる。
【００５２】
また、投影型静電容量方式の読取装置３のタッチパネル３１上に情報媒体１を置くことで、情報媒体１の導電パターンを読取装置側で読み取って認識し、導電パターンにひも付けされた読取画像３２をタッチパネル３１に出現されることができる。
【００５３】
なお、前記各実施の形態は、一例として提示したものであり、発明の範囲を限定することは意図していない。前記各実施の形態は、その他の様々な形態で実施されることが可能であり、発明の要旨を逸脱しない範囲で、種々の省略、置き換え、変更を行うことができる。これら実施の形態やその変形は、発明の範囲や要旨に含まれるとともに、特許請求の範囲に記載された発明とその均等の範囲に含まれる。
【符号の説明】
【００５４】
１…情報媒体、２…手、３…読取装置、１１…基材、１２…接触部、１３…反応部、１４…導電部、１５…非反応部、１６…絶縁部、１７…盛り上げ部、１８…エンボス部、２１…指、３１…タッチパネル、３２…読取画像、３３…読取パターン。
【図１】
0005825036.tif 000002
【図２】
0005825036.tif 000003
【図３】
0005825036.tif 000004
【図４】
0005825036.tif 000005
【図５】
0005825036.tif 000006
【図６】
0005825036.tif 000007
【図７】
0005825036.tif 000008
【図８】
0005825036.tif 000009
【図９】
0005825036.tif 000010
【図１０】
0005825036.tif 000011
【図１１】
0005825036.tif 000012